(57)【要約】【課題】運転中の状態を外部から視認するために扉体に窓部を設け、且つその窓部の構成が、量産性と取付け部で水漏れを起こさない高いシール性を両立した食器洗い機を提供する。【解決手段】洗浄槽の前面開口部を閉じる扉体は、額縁状の枠体と、その内部に設けられたガラスまたは樹脂製の透明板と、前記枠体と前記透明板を固定する固定部材と、前記枠体と前記透明板の間に塗布された接着剤とで構成されたものであり、洗浄槽の開口部を覆う扉体に透明板を設けているので、運転中の洗浄槽内の状態を視認することが可能となっている。【選択図】図１
2005342297.tif 000002
【特許請求の範囲】
【請求項１】
本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板と、前記枠体と前記透明板を固定する固定部材と、前記枠体と前記透明板の間に塗布された接着剤とで構成された食器洗い機。
【請求項２】
枠体は、ポリプロピレン樹脂で形成し、その接着剤塗布面にコロナ処理を施した請求項１記載の食器洗い機。
【請求項３】
本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板と、前記枠体と前記透明板を固定する固定部材と、前記枠体と前記透明板の間に挿入されたパッキンとで構成された食器洗い機。
【請求項４】
透明板と固定部材の間に保護部材を設けた請求項１〜３のいずれか１項記載の食器洗い機。
【請求項５】
本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板とをインサート成型により一体で形成した食器洗い機。
【発明の詳細な説明】
【技術分野】
【０００１】
本発明は、食器洗い機に関するものである。
【背景技術】
【０００２】
従来この種の食器洗い機は、図６、７に示すように構成していた。（例えば特許文献１参照）。以下、その構成について説明する。食器洗い機は、食器かご（図示せず）にセットした食器等の被洗浄物を洗浄槽１に収納し、洗浄槽１に設けた前面開口部２を扉体３により閉塞してから、洗浄ポンプ（図示せず）を運転し、洗浄水を噴射することにより、被洗浄物の洗浄およびすすぎ工程を行うようになっていた。前面開口部２を開閉する扉体３の開閉形態については、種々のものが存在するが、本従来例の食器洗い機は、扉体３を２個に分割することで、扉体３の開閉に必要な空間（扉体が移動する空間）を小さくし、狭い場所へも食器洗い機が設置できるように、設置性の向上を図ったものである。
【特許文献１】特開２００１−１０９６１６号公報
【発明の開示】
【発明が解決しようとする課題】
【０００３】
しかしながら、上記従来の食器洗い機においては、扉体を閉じてしまうと運転中の状態を知る術はなく、食器かごにセットした食器類に洗浄水が満遍なく当たっているか、食器類のセットの仕方が適切であったか、軽い食器類が洗浄水の噴射により飛んでいないか、などを確認することができないという課題を有していた。また敢えて確認するには、運転を一時停止させ、扉体を開くという無駄な作業が必要となっていた。
【０００４】
また、扉体に窓を設ければ、運転中の状態を外部から視認することが可能となるが、量産性と窓取付け部で水漏れを起こさない高いシール性を両立する窓部構成を実現する必要がある。
【０００５】
本発明は、前記従来の課題を解決するもので、運転中の状態を外部から視認するために扉体に窓部を設け、且つその窓部の構成が、量産性と取付け部で水漏れを起こさない高いシール性を両立したものである。
【課題を解決するための手段】
【０００６】
前記従来の課題を解決するために、本発明の食器洗い機は、本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板と、前記枠体と前記透明板を固定する固定部材と、前記枠体と前記透明板の間に塗布された接着剤とで構成されたものであり、洗浄槽の開口部を覆う扉体に透明板を設けているので、運転中の洗浄槽内の状態を視認することが可能となっている。
【０００７】
また、組み立て治具に枠体をセットし、所定位置に接着剤を塗布し、その上から透明板をセットして、最後に枠体と透明板を固定部材で固定するという組み立て手順が可能となり、容易な組み立てが実現できる。さらに、枠体と透明板の間には接着剤が塗布されているので高いシール性を実現できる。
【発明の効果】
【０００８】
以上のように本発明によれば、扉体に窓部を設けることで、運転中の洗浄槽内の状態を外部から視認することが可能となり、洗浄水が食器類に当たっている状態や食器類のセット状態の適、不適を確認することができる。また、扉体に透明板を取付けるという窓部構成において、量産性と窓取付け部で水漏れを起こさない高いシール性を両立することができる。
【発明を実施するための最良の形態】
【０００９】
第１の発明は、本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板と、前記枠体と前記透明板を固定する固定部材と、前記枠体と前記透明板の間に塗布された接着剤とで構成されたものであり、洗浄槽の開口部を覆う扉体に透明板を設けているので、運転中の洗浄槽内の状態を視認することが可能となっている。また、組み立て治具に枠体をセットし、所定位置に接着剤を塗布し、その上から透明板をセットして、最後に枠体と透明板を固定部材で固定するという組み立て手順が可能となり、容易な組み立てが実現できる。さらに、枠体と透明板の間には接着剤が塗布されているので高いシール性を実現できる。
【００１０】
第２の発明は、第１の発明において、枠体はポリプロピレン樹脂で形成し、その接着剤塗布面にコロナ処理を施したものであり、枠体の材料をポリプロピレン樹脂とすることで、形成加工性がよく、安価に枠体を生産できる。また、食器洗い機の扉体には高温の洗浄水が噴射されるため、耐熱性、耐薬品性が要求されており、ポリプロピレン樹脂を形成材料とすることでこれらも満足できる。ただし、ポリプロピレン樹脂は材料特性として接着性が悪いため、本発明においては、接着剤塗布面にコロナ処理を施すことにより、枠体表面を活性化し、接着剤の接着力を向上している。これにより、枠体と透明板の間いおいて高いシール性を実現できる。
【００１１】
第３の発明は、本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板と、前記枠体と前記透明板を固定する固定部材と、前記枠体と前記透明板の間に挿入されたパッキンとで構成されたものであり、洗浄槽の開口部を覆う扉体に透明板を設けているので、運転中の洗浄槽内の状態を視認することが可能となっている。また、組み立て治具に枠体をセットし、所定位置にパッキンを取付け、その上から透明板をセットして、最後に枠体と透明板を固定部材で固定するという組み立て手順が可能となり、容易な組み立てが実現できる。さらに、枠体と透明板の間にはパッキンが取付けられているので高いシール性を実現できる。
【００１２】
第４の発明は、第１〜第３の発明において、透明板と固定部材の間に保護部材を設けたものであり、固定部材で圧迫された透明板に傷、亀裂が入ることがない高品質な窓部構成を実現できる。
【００１３】
第５の発明は、本体と、開口部を有し前記本体内に設けられた洗浄槽と、前記洗浄槽の開口部を開閉自在に覆う扉体とを備え、前記扉体は、額縁状の枠体と、その内部に設けられたガラスまたは樹脂製の透明板とをインサート成型により一体で形成したものであり、枠体と透明板を機械的に固定する必要がないため、組み立て作業性が向上し、また、枠体と透明板が扉体として一体で形成されるため、扉体から水漏れが発生することもない。
【００１４】
以下、本発明の実施の形態について、図面を参照しながら説明する。なお、この実施の形態によって本発明が限定されるものではない。
【００１５】
（実施の形態１）
図１は本発明の第１の実施の形態における食器洗い機の構造を示す断面図、図２は本発明の第１の実施の形態における食器洗い機の斜視図、図３は本発明の第１の実施の形態における上扉体の窓部構成斜視図、図４は本発明の第１の実施の形態における上扉体の部分断面図である。
【００１６】
食器洗い機本体４の正面側は上扉体５と下扉体６とに上下に２分割された扉体によって開閉自在に構成され、扉体を開くことにより食器洗い機本体４内に配設された洗浄槽７の前面開口部８を大きく開放して洗浄槽７に対する食器類９の出し入れが容易にできるように構成されている。
【００１７】
洗浄槽７の下方にはポンプ１０や、このポンプ１０を回転駆動するモータ１１が配設され、ポンプ１０によって送給される洗浄水は洗浄槽７下部に回転自在に支持された洗浄ノズル１２から噴射される。洗浄槽７内には食器類９を収容する食器かご１３が配置され、回転する洗浄ノズル１２から噴射して噴射方向を変化させる洗浄水によって食器類９は満遍なく洗浄される。
【００１８】
上扉体５は、内面側上扉体と外面側上扉体１４とで構成されている。内面側上扉体は、ポリプロピレン樹脂によって形成された額縁状の枠体１５と、枠体１５の内部より一回り大きい透明の耐熱性ガラス板１６とで構成されており、耐熱性ガラス板１６は、一端が保護部材１７（例えば板ゴム）を介して耐熱性ガラス板１６を押さえつけ、他端がビス１８によって枠体１５に締結された固定部材１９によって枠体１５に固定されている。
【００１９】
また、枠体１５と耐熱性ガラス板１６の間には接着剤２０が塗布されており、シール性を確保している。なお、枠体１５の接着剤２０塗布面には、接着力を向上させるために、コロナ処理が施されている。
【００２０】
外面側上扉体１４も同様に外部から洗浄槽７内を視認できるように、中央部が透明になっている。外周部は、固定部材１９、保護部材１７、接着剤２０がユーザーから見えないように額縁状に不透明となっている。下扉体６には運転操作部２１及び開閉操作部２２が設けられている。
【００２１】
以上のように構成された食器洗い機についてその動作、作用を説明する。下扉体６に設けられた開閉操作部２２を押圧操作することにより扉体を閉じたロック状態が解除され、図２に示すように、下扉体６は下方に回動し、上扉体５は食器洗い機本体４の天面に沿う位置に回動移動し、洗浄槽７の前面を大きく開放する。食器かご１３に食器類９をセットし、洗剤を投入して上扉体５及び下扉体６により洗浄槽７を閉じ、運転操作部２１から運転コースを選択して運転の開始操作を行うと、注水が開始されて、選択した運転コースに応じた洗浄工程、すすぎ工程、乾燥工程が順次実施される。
【００２２】
洗浄工程やすすぎ工程において洗浄ノズル１２から噴射される洗浄水の噴射状態は、外面側上扉体１４の透明部と内面側上扉体の耐熱性ガラス板１６を通して視認することができ、食器類に噴射される洗浄水の状態から食器類９のセットの仕方が適切であったか、軽い食器類が噴射される洗浄水によって飛んだりしていないか、などを確認することができる。
【００２３】
内面側上扉体の枠体１５は、耐熱性、耐薬品性に優れたポリプロピレン樹脂が使用されており、窓部は耐熱性のガラスが使用されているので、高温の洗浄水が噴射されても製品機能に支障をきたすような変形、破壊を起こすことはない。また、固定部材１９と耐熱性ガラス板１６の間には、保護部材１７が挿入されているので、固定部材１９に圧迫されることにより、耐熱性ガラス板１６が傷つけられることがない。また、内面側上扉体は、接着剤２０塗布後の枠体１５に、耐熱性ガラス板１６、保護部材１７、固定部材１９を順次所定位置に重ねていき、最後にビス１８で締結する構成となっており、容易な組立て作業を実現できる。
【００２４】
なお、本実施の形態では、枠体１５と耐熱性ガラス板１６間のシールを接着剤２０により行っているが、接着剤２０の代わりにパッキンを使用することも可能であり、この場合、枠体１５にコロナ処理を施す必要がなくなる。
【００２５】
（実施の形態２）
図５は本発明の第２の実施の形態における上扉体の部分断面図である。本発明は、耐熱性ガラス１６を枠体１５にインサート成型したものであり、耐熱性ガラス１６と枠体１５の固定、シールが不要であり、且つ実施の形態１と同様の効果を得ることができる。
【産業上の利用可能性】
【００２６】
以上のように、本発明にかかる食器洗い機は、扉体に窓部を設けることで、運転中の洗浄槽内の状態を外部から視認することが可能となり、洗浄水が食器類に当たっている状態や食器類のセット状態の適、不適を確認することができる。また、扉体に透明板を取付けるという窓部構成において、量産性と窓取付け部で水漏れを起こさない高いシール性を両立することができるので、洗浄水の噴射により食器等の洗浄を行う食器洗い機等として有用である。
【図面の簡単な説明】
【００２７】
【図１】本発明の第１の実施形態の食器洗い機の構造を示す断面図
【図２】同食器洗い機の斜視図
【図３】同食器洗い機の上扉体の窓部構成斜視図
【図４】同食器洗い機の上扉体の部分断面図
【図５】本発明の第２の実施の形態の食器洗い機の上扉体の部分断面図
【図６】従来の食器洗い機の斜視図
【図７】従来の食器洗い機の側面図
【符号の説明】
【００２８】
４  食器洗い機本体（本体）
５  上扉体（扉体）
６  下扉体（扉体）
７  洗浄槽
８  前面開口部（開口部）
１５  枠体
１６  耐熱性ガラス板（透明板）
１９  固定部材
２０  接着剤
【図１】
2005342297.tif 000003
【図２】
2005342297.tif 000004
【図３】
2005342297.tif 000005
【図４】
2005342297.tif 000006
【図５】
2005342297.tif 000007
【図６】
2005342297.tif 000008
【図７】
2005342297.tif 000009